(57)【要約】【課題】他の電子機器と連携して機能を提供する際に従う設定を容易に変更できる電子機器を提供する【解決手段】第１の機能を提供する提供手段と、記憶する設定に従って第１の機能と異なる第２の機能を提供する他の電子機器と連携して、第１の機能と第２の機能とを連携した第３の機能を提供するよう提供手段を制御する制御手段と、他の電子機器が第３の機能を提供する際に従う設定を記憶する記憶媒体に接続する接続手段とを備え、制御手段は、接続手段と接続した記憶媒体に記憶された設定を記憶するよう他の電子機器を制御する。これによれば、連携する他の電子機器が第３機能を提供する際に従う設定を、接続する記憶媒体に記憶された設定へ容易に変更できる。【選択図】図１
2010206733.tif 000002
【特許請求の範囲】
【請求項１】
第１の機能を提供する提供手段と、
前記第１の機能と異なる第２の機能を提供する他の電子機器と連携して、前記第１の機能と前記第２の機能とを連携した第３の機能を提供するよう前記提供手段を制御する制御手段と、
前記他の電子機器が前記第３の機能を提供する際に従う設定を記憶する記憶媒体に接続する接続手段とを備え、
前記制御手段は、前記接続手段と接続した前記記憶媒体に記憶された設定に従って前記第３の機能を提供するよう前記他の電子機器を制御することを特徴とする電子機器。
【請求項２】
コンピュータを、
第１の機能と異なる第２の機能を提供する他の電子機器と連携して、前記第１の機能と前記第２の機能とを連携した第３の機能を提供するよう、前記第１の機能を提供する提供手段を制御する制御手段と、
前記他の電子機器が前記第３の機能を提供する際に従う設定を記憶する記憶媒体に接続する接続手段として機能させ、
前記制御手段は、前記接続手段と接続した前記記憶媒体に記憶された設定に従って前記第３の機能を提供するよう前記他の電子機器を制御することを特徴とする設定変更プログラム。
【請求項３】
前記第１の機能を提供する他の電子機器と通信する通信手段と、
前記第１の機能と異なる第２機能を提供する提供手段と、
前記通信手段が通信する前記他の電子機器と連携して、前記第１の機能と前記第２の機能とを連携した第３の機能を提供するよう前記提供手段を制御する制御手段とを備え、
前記制御手段は、前記通信手段が通信する前記他の電子機器と接続した記憶媒体に記憶された設定に従って前記第３の機能を提供するよう前記提供手段を制御することを特徴とする電子機器。
【請求項４】
コンピュータを、
前記第１の機能を提供する他の電子機器と通信する通信手段と、
前記通信手段が通信する前記他の電子機器と連携して、前記第１の機能及び前記第１の機能と異なる第２機能を連携した第３の機能を提供するよう、前記第２機能を提供する提供手段を制御する制御手段として機能させ、
前記制御手段は、前記通信手段が通信する前記他の電子機器と接続した記憶媒体に記憶された設定に従って前記第３の機能を提供するよう前記提供手段を制御することを特徴とする設定変更プログラム。
【請求項５】
第１の機能を提供する第１電子機器と、
前記第１の機能と異なる第２の機能を提供する第２電子機器とを備え、
前記第２電子機器は、前記第１電子機器と連携して、前記第１の機能と前記第２の機能とを連携した第３の機能を提供し、
前記第１電子機器は、前記第２電子機器が前記第３の機能を提供する際に従う設定を記憶する記憶媒体に接続すると、前記記憶媒体に記憶された設定に従って前記第３の機能を提供するよう前記第２の電子機器を制御することを特徴とする設定変更システム。
【請求項６】
前記他の電子機器と連携する前記提供手段が前記第３の機能を提供する際に従う第１の設定を記憶する記憶手段を更に備え、
前記記憶媒体は、前記他の電子機器と異なる電子機器が前記第３の機能を提供する際に従った第２の設定を記憶し、
前記制御手段は、前記記憶媒体に記憶された前記第２の設定を更に記憶するよう前記記憶手段を制御した後に、前記記憶手段が記憶する第１の設定に従って前記他の電子機器と連携して第３の機能を提供するよう前記提供手段を制御すると共に、前記記憶手段に記憶された第２の設定に従って前記他の電子機器と異なる電子機器と連携した電子機器と連携して前記第３の機能を提供するよう前記提供手段を制御することを特徴とする請求項３に記載の電子機器。
【請求項７】
前記通信手段は、前記提供手段に対して前記第２の機能を提供するよう命じる第１の命令と、前記他の電子機器と異なる電子機器に対して前記第２の機能を提供するよう命じる第２の命令とを受信し、
前記制御手段は、前記通信手段が前記第１の命令を受信すると前記記憶手段が記憶する第１の設定に従って前記第２の機能を提供するよう前記提供手段を制御すると共に、前記通信手段が第２の命令を受信すると前記記憶手段が記憶する第２の設定に従って前記第２の機能を提供するよう前記提供手段を制御することを特徴とする請求項６に記載の電子機器。
【請求項８】
前記記憶手段は、変更された前記第２の設定を記憶し、
前記制御手段は、前記記憶手段が記憶する変更された前記第２の設定に従って前記第３の機能を提供するよう前記提供手段を制御した後に、前記他の電子機器と異なる電子機器と接続すると、変更された前記第２の設定を記憶するよう接続した前記電子機器を制御することを特徴とする請求項６又は７に記載の電子機器。
【発明の詳細な説明】
【技術分野】
【０００１】
本発明は、電子機器、設定変更プログラム、及び設定変更システムに関する。
【背景技術】
【０００２】
近年、原稿を読み取る際に従う条件を簡易に設定できる画像処理装置が知られるに至った（例えば、特許文献１）。
【０００３】
この画像処理装置は、読み取った原稿を表す画像ファイルを生成する手段と、画像ファイルを生成する際に従う生成条件を設定する設定情報を取得する手段とを備える。また、この画像処理装置は、可搬型記録媒体から設定情報を取得すると共に、取得した設定情報の設定する生成条件に従って生成した画像ファイルを可搬型記録媒体へ格納する。
【０００４】
また、デジタル複写機に設定した設定値が失われるのを防ぐことができるデジタル複写機ネットワークシステムが知られるに至った（例えば、特許文献２）。
【０００５】
このデジタル複写機ネットワークシステムは、制御用パラメータの設定値を不揮発ＲＡＭに記憶した複写機を少なくとも１台以上含み、複写機の不揮発ＲＡＭに記憶した設定値の一部あるいは全部を同じネットワークシステム上の他の複写機に複写させる。
【先行技術文献】
【特許文献】
【０００６】
【特許文献１】特開２００７−１１０３１６号公報
【特許文献２】特開平０８−２４４３１７号公報
【発明の開示】
【発明が解決しようとする課題】
【０００７】
本発明の目的は、他の電子機器と連携して機能を提供する際に従う設定を容易に変更できる電子機器、電子機器の設定変更プログラム、及び設定変更システムを提供する。
【課題を解決するための手段】
【０００８】
本発明に係る電子機器は、第１の機能を提供する提供手段と、第１の機能と異なる第２の機能を提供する他の電子機器と連携して、第１の機能と第２の機能とを連携した第３の機能を提供するよう提供手段を制御する制御手段と、他の電子機器が第３の機能を提供する際に従う設定を記憶する記憶媒体に接続する接続手段とを備え、制御手段は、接続手段と接続した記憶媒体に記憶された設定に従って第３の機能を提供するよう他の電子機器を制御することを特徴としている。
【０００９】
本発明に係る設定変更プログラムは、コンピュータを、第１の機能と異なる第２の機能を提供する他の電子機器と連携して、第１の機能と第２の機能とを連携した第３の機能を提供するよう、第１の機能を提供する提供手段を制御する制御手段と、他の電子機器が第３の機能を提供する際に従う設定を記憶する記憶媒体に接続する接続手段として機能させ、
制御手段は、接続手段と接続した記憶媒体に記憶された設定に従って第３の機能を提供するよう他の電子機器を制御することを特徴としている。
【００１０】
本発明に係る電子機器は、第１の機能を提供する他の電子機器と通信する通信手段と、第１の機能と異なる第２機能を提供する提供手段と、通信手段が通信する他の電子機器と連携して、第１の機能と第２の機能とを連携した第３の機能を提供するよう提供手段を制御する制御手段とを備え、制御手段は、通信手段が通信する他の電子機器と接続した記憶媒体に記憶された設定に従って第３の機能を提供するよう提供手段を制御することを特徴としている。
【００１１】
本発明に係る設定変更プログラムは、コンピュータを、第１の機能を提供する他の電子機器と通信する通信手段と、通信手段が通信する他の電子機器と連携して、第１の機能及び第１の機能と異なる第２機能を連携した第３の機能を提供するよう、第２機能を提供する提供手段を制御する制御手段として機能させ、制御手段は、通信手段が通信する他の電子機器と接続した記憶媒体に記憶された設定に従って第３の機能を提供するよう提供手段を制御することを特徴とすることを特徴としている。
【００１２】
本発明に係る設定変更システムは、第１の機能を提供する第１電子機器と、第１の機能と異なる第２の機能を提供する第２電子機器とを備え、第２電子機器は、第１電子機器と連携して、第１の機能と第２の機能とを連携した第３の機能を提供し、第１電子機器は、第２電子機器が第３の機能を提供する際に従う設定を記憶する記憶媒体に接続すると、記憶媒体に記憶された設定に従って第３の機能を提供するよう第２の電子機器を制御することを特徴としている。
【００１３】
上記構成において、他の電子機器と連携する提供手段が第３の機能を提供する際に従う第１の設定を記憶する記憶手段を更に備え、記憶媒体は、他の電子機器と異なる電子機器が第３の機能を提供する際に従った第２の設定を記憶し、制御手段は、記憶媒体に記憶された第２の設定を更に記憶するよう記憶媒体を制御した後に、記憶手段が記憶する第１の設定に従って他の電子機器と連携して第３の機能を提供するよう提供手段を制御すると共に、記憶手段に記憶された第２の設定に従って他の電子機器と異なる電子機器と連携した電子機器と連携して第３の機能を提供するよう提供手段を制御する構成を採用できる。
【００１４】
上記構成において、通信手段は、提供手段に対して第２の機能を提供するよう命じる第１の命令と、他の電子機器と異なる電子機器に対して第２の機能を提供するよう命じる第２の命令とを受信し、制御手段は、通信手段が第１の命令を受信すると記憶手段が記憶する第１の設定に従って第２の機能を提供するよう提供手段を制御すると共に、通信手段が第２の命令を受信すると記憶手段が記憶する第２の設定に従って第２の機能を提供するよう提供手段を制御する構成を採用できる。
【００１５】
上記構成において、記憶手段は、変更された第２の設定を記憶し、制御手段は、記憶手段が記憶する変更された第２の設定に従って第３の機能を提供するよう提供手段を制御した後に、他の電子機器と異なる電子機器と接続すると、変更された第２の設定を記憶するよう接続した電子機器を制御する構成を採用できる。
【発明の効果】
【００１６】
請求項１の構成によれば、連携する他の電子機器が第３機能を提供する際に従う設定を、接続する記憶媒体に記憶された設定へ容易に変更できる。
【００１７】
請求項２の構成によれば、連携する他の電子機器が第３機能を提供する際に従う設定を、接続する記憶媒体に記憶された設定へ容易に変更できる。
【００１８】
請求項３の構成によれば、第３機能を提供する際に従う設定を、連携する他の電子機器に接続する記憶媒体に記憶された設定へ容易に変更できる。
【００１９】
請求項４の構成によれば、第３機能を提供する際に従う設定を、連携する他の電子機器に接続する記憶媒体に記憶された設定へ容易に変更できる。
【００２０】
請求項５の構成によれば、第２の電子機器が第３機能を提供する際に従う設定を、連携する第１の電子機器に接続した記憶媒体に記憶された設定へ容易に変更できる。
【００２１】
請求項６の構成によれば、記憶媒体に記憶された設定に従って、他の電子機器と異なる電子機器に代えて第３機能を提供できる。
【００２２】
請求項７の構成によれば、記憶媒体に記憶された設定に従って、他の電子機器と異なる電子機器に代えて第２機能を提供できる。
【００２３】
請求項８の構成によれば、代理した電子機器の設定を変更された設定へ変更できる。
【図面の簡単な説明】
【００２４】
【図１】本発明の電子機器で構成される設定変更システムの一実施形態を示す構成図である。
【図２】記憶媒体に登録されるジョブ生成条件の一例を表す図である。
【図３】設定変更システムが実行する登録処理の一例を表すフローチャートである。
【図４】設定変更システムが実行する設定変更処理の一例を表すフローチャートである。
【図５】実施例２における設定変更システムの一例を表すシステム構成図である。
【図６】設定変更システムが行う代理動作の一例を説明するための図である。
【図７】第２電子機器が実行する代理処理の一例を表すフローチャートである。
【図８】設定変更システムが行う復旧動作の一例を説明するための図である。
【図９】第１電子機器が実行する復旧処理の一例を表すフローチャートである。
【発明を実施するための最良の形態】
【００２５】
以下、本発明の最良の実施形態について、添付図面を参照しつつ説明する。
【実施例１】
【００２６】
図１は、本発明の電子機器で構成される設定変更システムの一実施形態を示す構成図である。図１（ａ）に示す設定変更システム１は、通信網１０、第１電子機器１１０及び１２０、並びに第２電子機器１９０を備える。
通信網１０は、例えば、ＬＡＮ（Local Area Network ）、ＷＡＮ（Wide Area Network）、ＭＡＮ（Metropolitan Area Network）、又は公衆回線網で構成される。本実施例において、第１電子機器１１０及び１２０と第２電子機器１９０とは、通信網１０を介して通信するとして説明したが、これに限定される訳ではない。例えば、第１電子機器１１０及び１２０と第２電子機器１９０とは、ＵＳＢ（Universal Serial Bus）接続又はセントロニクス接続して通信する構成を採用できる。
【００２７】
第１電子機器１１０及び１２０は、それぞれほぼ同様の構成を有するため、以下主に、第１電子機器１１０について説明する。第１電子機器１１０は第１機能を提供し、第２電子機器は、第２機能を提供する。第１電子機器１１０及び第２電子機器は、それぞれ連携して第１機能と第２機能とを連携した第３機能を提供する。本実施例において、第１機能は画像を入力する画像入力機能であり、第２機能は画像を出力する画像出力機能であるとして説明する。よって、第１電子機器１１０は画像入力装置であり、第２電子機器１９０は画像出力装置であるとして説明する。
【００２８】
具体例として、画像入力機能は画像を読み取る画像読取機能を含み、画像出力機能は画像を形成する画像形成機能を含み、第３機能は画像を複製する画像複製機能（以下、コピー機能ともいう）を含むとして説明する。よって、第１電子機器１１０及び第２電子機器１９０は、例えば、画像読取装置及び画像形成装置でそれぞれ構成される。画像読取装置及び画像形成装置は、例えば、画像を光学的に読み取るスキャン機能を提供するスキャナ、又は画像を印刷媒体に形成するプリント機能を提供するプリンタで構成される。尚、印刷媒体は、例えば、印刷用紙、プラスティックカード、木板、鉄板、及び布を含む。しかし、これに限定される訳ではなく、例えば、画像出力機能は画像を映像として出力する機能を含み、第２電子機器１９０は、例えば、ＣＲＴ（Cathode Ray Tube）、液晶パネル、有機ＥＬ（Electro-Luminescence）パネルで構成される実施例を採用できる。更に、例えば、第１機能は画像を読み取る画像読取機能であり、第２機能は読取った画像を表す情報を、例えば、Ｇ３又はＧ４プロトコルで通信する情報通信機能であり、第３機能はＦＡＸ（facsimile）通信機能である構成を採用できる。
【００２９】
本実施例において、設定変更システム１は、第１電子機器１１０と第２電子機器１９０との２つの電子機器が連携して機能を提供する場合について説明するが、これに限定される訳ではなく、３以上の電子機器が連携して機能を提供する構成を採用できる。また、以下に説明する第１電子機器１１０が実行する処理を第２電子機器１９０が実行すると共に、第２電子機器１９０が実行する処理を第１電子機器１１０が実行する実施例を採用することができる。
【００３０】
ここで、図１（ｂ）を参照して、第１電子機器１１０の構成について説明する。図１（ｂ）は、第１電子機器１１０の一構成例を表す機能ブロック図である。
図１（ｂ）に示す第１電子機器１１０は、提供部１１１、媒体接続部１１２、条件生成部１１３、通信部１１４、記憶部１１６、操作・表示部１１７、及び制御部１１９を備える。提供部１１１から制御部１１９は、バスを介して互いに情報の授受が可能なように接続する。
【００３１】
提供部１１１は、例えば、ＩＩＴ（Image Input Terminal）で構成される。提供部１１１は、第１機能を単独で、又は第３機能を第２電子機器１９０と連携して提供する。具体的には、提供部１１１は、画像読取部１１１ａ及び画像生成部１１１ｂとを備える。画像読取部１１１ａは、例えば、不図示のプラテンに置かれた原稿を光学的に読み取ることで光学信号を得ると共に、取得した光学信号を電気信号へ変換する。画像生成部１１１ｂは、画像読取部１１１ａが変換した電気信号に基づいて、読み取った画像を表す画像情報を生成する。
【００３２】
媒体接続部１１２は、記憶媒体Ｍに接続する。記憶媒体Ｍは、例えば、携帯可能な大きさ及び重量を有するメモリである。具体的には、記憶媒体Ｍは、ＵＳＢメモリ又はメモリーカードで構成される。よって、媒体接続部１１２は、例えば、ＵＳＢホストコントローラ又はカードリーダで構成される。尚、記憶媒体Ｍは、設定ファイルを記憶する。また、設定ファイルは、互いに連携する第１電子機器１１０及び第２電子機器１２０が第３機能を提供する際に従う設定を表す電子ファイルをいう。この電子ファイルは、後述するジョブ生成条件で設定を表す。
【００３３】
条件生成部１１３は、例えば、第１電子機器１１０がソフトウェア処理である条件生成処理を実行することで実現される。
ここで、図１（ｃ）を参照して、ソフトウェア処理を実行するために第１電子機器１１０が用いるハードウェアの構成について説明を行う。図１（ｃ）は、第１電子機器１１０の一構成例を表すハードウェア構成図である。
図１（ｃ）に示す第１電子機器１１０は、例えば、ＣＰＵ（Central Processing Unit）等の演算装置１１０ａ、ＲＯＭ（Read-Only Memory）又はＲＡＭ（Random Access Memory）等の記憶装置１１０ｂ、及びＡＤ変換機（Analog-to-Digital）等の入出力装置１１０ｃを備える。ソフトウェア処理は、演算装置１１０ａが、記憶装置１１０ｂに格納したプログラムを読み込み、読み込んだプログラムが表すソフトウェア処理の実行手順に従って演算を行うことにより実現される。尚、記憶装置１１０ｂには、演算装置が行った演算結果が書き込まれる。また、必要に応じて入出力装置１１０ｃは、接続する各部が出力する信号を演算対象として入力すると共に、演算結果を接続する各部へ出力する。
【００３４】
条件生成部１１３は、操作・表示部１１７が入力した設定パラメータの設定値に基づいてジョブ生成条件を生成する。ここで、ジョブ生成条件は、ジョブを生成するための条件をいう。またジョブは、機能を提供するために電子機器が実行する処理を含む。よって、第３機能に含まれるコピー機能を提供するための処理をコピージョブという。更に、ジョブを生成するとは、ジョブを実行することをいう。
【００３５】
ここで、ジョブ生成条件は、ジョブの動作を規定するための規定情報と、ジョブを実行する電子機器を識別する識別情報とで構成される。特に、コピージョブを生成するためのジョブ生成条件は、第１電子機器１１０を識別する識別情報と、第２電子機器１９０を識別する識別情報とで構成される。コピー機能は、連携した第１電子機器１１０と第２電子機器１９０とで提供されるからである。画像読取機能である第１機能を提供するために実行されるジョブの動作を規定するための規定情報は、例えば、読み取る原稿の大きさ（つまり、画像サイズ）を定める設定情報、及び画像をカラーで読み取るよう定める設定情報を含む。よって、条件生成部１１３は、操作・表示部１１７の備える入力部が入力した（又は記憶部１１６が記憶する）パラメータの設定値からジョブ生成条件を生成する。
【００３６】
通信部１１４は、例えば、ネットワークカードで構成される。通信部１１４は、通信網１０を介して接続する第２電子機器１９０と各種の情報を通信する。具体例としては、通信部１１４は、媒体接続部１１２に接続した記憶媒体Ｍの記憶するジョブ生成条件を表す情報（以下単に、ジョブ生成条件情報という）を第２電子機器１９０へ送信する。また、通信部１１４は、送信したジョブ生成条件に従ってジョブを実行するよう第２電子機器１９０に命じる命令を第２電子機器１９０へ送信する。また、通信部１１４は、第２電子機器１９０の状態を問う問合せを第２電子機器１９０へ送信した後に、第２電子機器１９０の状態表す状態情報を受信する。
【００３７】
記憶部１１６は、例えば、記憶装置１１０ｂで構成される。記憶部１１６は、条件生成部１１３が生成したジョブ生成条件、又は媒体接続部１１２に接続した記憶媒体Ｍの記憶するジョブ生成条件を表す設定ファイルを記憶する。
操作・表示部１１７は、第１電子装置１１０を使用する使用者（以下単に、ユーザという）の操作を受けて各種の情報、指示、及び命令を入力する入力部と、ユーザに対して各種の情報を表示する表示部とを備える。特に、入力部は、第１機能を単独で、又は第３機能を第２電子機器１９０と連携して提供するよう命じる命令、及び機能を提供する際に従う設定を表す設定パラメータの設定値を入力する。
【００３８】
制御部１１９は、第１電子機器１１０が制御処理を実行することで実現される。制御部１１９は、条件生成部１１３が生成したジョブ生成条件、又は記憶部１１６が記憶するジョブ生成条件に従ってジョブを生成する。具体的には、制御部１１９は、ジョブを実行することで、ジョブ生成条件を構成する規定情報が規定する動作を行うよう提供部１１１を制御すると共に、識別情報が識別する出力装置を制御する。より具体的には、制御部１１９は、規定情報が含む設定に従って、単独で第１機能を提供するよう提供部１１１を制御する、又は連携して第３機能を提供するよう提供部１１１及び第２電子機器１９０を制御する。更に具体的に説明すると、制御部１１９は、記憶媒体Ｍの記憶するジョブ生成条件を第２電子機器１９０へ送信すると共に、送信したジョブ生成条件に従ってジョブを実行するよう命じる命令を第２電子機器１９０へ送信するよう通信部１１４を制御する。
【００３９】
また、制御部１１９は、条件生成部１１３が生成したジョブ生成条件を記憶部１１６及び記憶媒体Ｍに登録する。特に、制御部１１９は、記憶媒体Ｍが媒体接続部１１２ではなく、連携する第２電子機器１９０に接続する場合には、条件生成部１１３が生成したジョブ生成条件を記憶媒体Ｍへ登録するよう第２電子機器１９０を制御する。具体例としては、制御部１１９は、ジョブ生成条件を第２電子機器１９０へ送信するよう通信部１１４を制御すると共に、ジョブ生成条件を記憶媒体Ｍへ登録するよう命じる命令を第２電子機器１９０へ送信するよう通信部１１４を制御する。
【００４０】
その後、ジョブ生成条件を登録した記憶媒体Ｍが媒体接続部１１２に再接続すると、制御部１１９は、記憶媒体Ｍが記憶するジョブ生成条件に従ってジョブを生成する。また、制御部１１９は、記憶媒体Ｍが記憶するジョブ生成条件に従って連携して第３機能を提供するためのジョブを生成するよう第２電子機器１９０をも制御する。具体例としては、制御部１１９は、記憶媒体Ｍの記憶するジョブ生成条件を第２電子機器１９０へ送信するよう通信部１１４を制御すると共に、送信したジョブ生成条件に従ってジョブを生成するよう命じる命令を第２電子機器１９０へ送信するよう通信部１１４を制御する。また、送信したジョブ生成条件を記憶するよう命じる命令を第２電子機器１９０へ送信するよう通信部１１４を制御する構成を採用しても良い。
【００４１】
ここで、図２を参照して、記憶媒体Ｍに登録されるジョブ生成条件について説明する。図２（ａ）は、記憶媒体Ｍに登録されるジョブ生成条件の一例を表す図である。
図２（ａ）に示す表は、ジョブ生成条件項目列、例列、条件Ａ列、及び条件Ｂ列を有する。ジョブ生成条件項目列は、ジョブ生成条件を構成する情報を表す。例列は、ジョブ生成条件を構成する情報の具体例を表す。条件Ａ列及び条件Ｂ列は、それぞれジョブ生成条件Ａ及びＢを構成する情報の具体値を保存する。
【００４２】
また、図２（ａ）に示す表は、規定情報行と識別情報行とを有する。規定情報行は、規定情報を表す。具体的には、規定情報行は、原稿サイズ行、原稿種別行、カラーモード行、部数指定行、及び拡大率行を含む。原稿サイズ行、原稿種別行、カラーモード行、部数指定行、及び拡大率行は、それぞれ読み取る原稿のサイズ、原稿の種別、カラーで原稿をコピーするか否か、コピー部数、コピー時の拡大率又は縮小率を定める設定パラメータの設定値を保存する。
【００４３】
識別情報行は、読取装置識別情報行、出力装置識別情報行、及び装着済み出力装置識別情報行を含む。読取装置識別情報行及び出力装置識別情報行は、それぞれジョブを実行する画像読取装置の識別情報及び画像出力装置の識別情報を保存する。また、装着済み出力装置識別情報行は、直近に記憶媒体Ｍへ接続した画像出力装置の識別情報を保存する。
【００４４】
次に、図２（ｂ）を参照して、第２電子機器１９０の構成について説明する。図２（ｂ）は、第２電子機器１９０の一構成例を表す機能ブロック図である。
図２（ｂ）に示す第２電子機器１９０は、提供部１９１、媒体接続部１９２、通信部１９４、記憶部１９６、操作・表示部１９７、及び制御部１９９を備える。第２電子機器１９０が備える提供部１９１から制御部１９９は、第１電子機器１１０が備える提供部１１１から制御部１１９と同様であるので、以下主に相違点について説明する。
【００４５】
提供部１９１は、例えば、ＩＯＴ（Image Output Terminal）で構成される。提供部１９１は、第２機能を単独で、又は第３機能を第１電子機器１１０と連携して提供する。具体的には、提供部１９１は、解析部１９１ａ及び画像形成部１９１ｂとを備える。解析部１９１ａは、通信部１９４が受信した画像情報を解析すると共に、解析結果に基づいて画像情報を画像形成部１９１ｂが処理可能な形式へ変換する。画像形成部１９１ｂは、解析部１９１ａが出力した画像情報の表す画像を形成する処理を実行する。
【００４６】
制御部１９９は、媒体接続部１９２に記憶媒体Ｍが接続する場合には、第１電子機器１１０からの問合せに応じて、記憶媒体Ｍが接続したことを表す状態情報を返信するよう通信部１９４を制御する。次に、制御部１９９は、通信部１９４が第１電子機器１１０からジョブ生成条件を記憶媒体Ｍに登録するよう命じる命令を受信すると、命令に従ってジョブ生成条件を記憶媒体Ｍへ登録する。
【００４７】
また、制御部１９９は、通信部１９４が第１電子機器１１０から受信したジョブ生成条件と、ジョブ生成条件に従ってジョブを生成するよう命じる命令とを受信すると、命令に従ってジョブを生成する。具体的には、制御部１９９は、ジョブを実行することで、ジョブ生成条件を構成する規定情報が規定する動作を、単独で、又は第１電子機器１１０と連携して行うよう提供部１９１を制御する。より具体的には、制御部１９９は、受信した規定情報が含む設定に従って単独で第２機能を提供するよう、又は連携して第３機能を提供するよう提供部１９１を制御する。
【００４８】
次に、図３を参照して、設定変更システム１がコピージョブを実行するために生成するジョブ生成条件を記憶媒体Ｍへ登録する登録処理について説明する。図３は、設定変更システム１が実行する登録処理の一例を表すフローチャートである。
先ず、設定変更システム１は、第１電子機器１１０で、ユーザの操作に従ってジョブ生成条件を登録するよう命じる指示を入力する（ステップＳ０１）。次に、設定変更システム１は、第１電子機器１１０で、ユーザの操作に従ってパラメータの設定値を入力すると共に、入力したパラメータの設定値からジョブ生成条件を生成する（ステップＳ０２）。次に、設定変更システム１は、第１電子機器１１０で、記憶媒体Ｍに接続するか否かを判断する（ステップＳ０３）。設定変更システム１は、第１電子機器１１０が記憶媒体Ｍに接続すると判断する場合にはステップＳ０４の処理を実行し、そうでない場合にはステップＳ０５の処理を実行する。
【００４９】
ステップＳ０３において、設定変更システム１は、第１電子機器１１０が記憶媒体Ｍに接続すると判断した場合には、第１電子機器１１０で、生成したジョブ生成条件を設定ファイルとして記憶媒体Ｍへ保存する（ステップＳ０４）。その後、設定変更システム１は、登録処理の実行を終了する。
【００５０】
ステップＳ０３において、設定変更システム１は、第１電子機器１１０が記憶媒体Ｍに接続しないと判断した場合には、第２電子機器１９０で、記憶媒体Ｍに接続するか否かを判断する（ステップＳ０５）。設定変更システム１は、第２電子機器１９０が記憶媒体Ｍに接続すると判断する場合にはステップＳ０６の処理を実行し、そうでない場合にはステップＳ０７の処理を実行する。
【００５１】
ステップＳ０５において、設定変更システム１は、第２電子機器１９０が記憶媒体Ｍに接続すると判断した場合には、第２電子機器１９０で、生成したジョブ生成条件を設定ファイルとして記憶媒体Ｍへ保存する（ステップＳ０６）。その後、設定変更システム１は、登録処理の実行を終了する。
【００５２】
ステップＳ０５において、設定変更システム１は、第２電子機器１９０が記憶媒体Ｍに接続しないと判断した場合には、第１電子機器１１０で、異常が生じた旨を表示する（ステップＳ０７）。その後、設定変更システム１は、登録処理の実行を終了する。
【００５３】
尚、図３において、ステップＳ０１及びＳ０７の処理が操作・表示部１１７の実行する処理に相当し、ステップＳ０２の処理が条件生成部１１３の実行する処理に相当する。
【００５４】
次に、図４を参照して、設定変更システム１がコピージョブを生成する際に従う設定を、記憶媒体Ｍに登録した設定へ変更する設定変更処理について説明する。図４は、設定変更システム１が実行する設定変更処理の一例を表すフローチャートである。尚、図４は、第１電子機器１１０に記憶媒体Ｍが接続している場合に設定変更システム１が実行する登録処理の一例を表す。ここで、第２電子機器１９０に記憶媒体Ｍが接続している場合に設定変更システム１が実行する登録処理は、図４に表す処理とほぼ同様であるので説明を省略する。
【００５５】
先ず、設定変更システム１は、第１電子機器１１０で、コピーサービス画面を表示するよう命じる指示を入力する（ステップＳ１１）。尚、コピーサービス画面の具体例として、コピー機能を提供するよう命じる命令を操作・表示部１１７に入力させる操作をユーザが行う場合に、操作・表示部１１７が表示する画面を挙げることができる。次に、設定変更システム１は、第１電子機器１１０で、記憶媒体Ｍが第１電子機器１１０に接続しているか否かを判断する（ステップＳ１２）。設定変更システム１は、第１電子機器１１０に記憶媒体Ｍが接続していると判断する場合にはステップＳ１３の処理を、そうで無い場合にはステップＳ１８の処理を実行する。
【００５６】
ステップＳ１２において、設定変更システム１は、第１電子機器１１０に記憶媒体Ｍが接続していると判断した場合には、第１電子機器１１０で、記憶媒体Ｍにジョブ生成条件情報が格納されているか否かを判断する（ステップＳ１３）。設定変更システム１は、記憶媒体Ｍにジョブ生成条件情報があると判断する場合にはステップＳ１４の処理を、そうで無い場合にはステップＳ１８の処理を実行する。
【００５７】
ステップＳ１３において、設定変更システム１は、記憶媒体Ｍにジョブ生成条件情報があると判断した場合には、第１電子機器１１０で、記憶媒体Ｍからジョブ生成条件情報を取得する（ステップＳ１４）。次に、設定変更システム１は、取得したジョブ生成条件情報が表すジョブ生成条件は、接続機器用の条件であるか否かを、第１電子機器１１０で判断する（ステップＳ１５）。尚、接続機器用の条件とは、接続を確立している電子機器（以下、接続機器という）がジョブを生成するための条件をいう。具体的には、設定変更システム１は、ジョブ生成条件から取得した出力装置識別情報と接続機器の識別情報とが一致する場合に、取得したジョブ生成条件は接続機器用の条件であると判断する。設定変更システム１は、接続機器用の条件であると判断する場合にはステップＳ１７の処理を、そうで無い場合にはステップＳ１６の処理を実行する。
【００５８】
ステップＳ１５において、接続機器用の条件でないと判断した場合には、設定変更システム１は、ジョブ生成条件から取得した出力装置識別情報で識別される電子機器と接続を確立できるか否かを、第１電子機器１１０で判断する（ステップＳ１６）。設定変更システム１は、接続を確立できると判断した場合にはステップＳ１７の処理を実行し、そうで無い場合にはステップＳ１８の処理を実行する。
【００５９】
ステップＳ１５において、接続機器用の条件であると判断した場合、又はステップＳ１６において、取得した出力装置識別情報で識別される電子機器と接続を確立できたと判断した場合には、設定変更システム１は、第１電子機器１１０、並びに接続機器若しくは出力装置識別情報で識別される電子機器がジョブを生成するためのジョブ生成条件を、記憶媒体Ｍに記憶された条件に変更する（ステップＳ１７）。尚、本実施例において、接続機器又は出力装置識別情報で識別される電子機器は、ともに第２電子機器１９０をいうとして説明する。
【００６０】
ステップＳ１２において、第１電子機器１１０に記憶媒体Ｍが接続していないと判断した場合、ステップＳ１３において、記憶媒体Ｍにジョブ生成条件情報がないと判断した場合、又はステップＳ１６において、出力装置識別情報で識別される電子機器と接続を確立できなかった判断した場合には、設定変更システム１は、第１電子機器１１０及び接続機器がジョブを生成するためのジョブ生成条件を、予め定められた（つまり、デフォルト）条件とする（ステップＳ１８）。
【００６１】
ステップＳ１７又はＳ１８を実行した後に、設定変更システム１は、第１電子機器１１０で、ステップＳ１７又はＳ１８において変更等したジョブ生成条件をコピーサービス画面に表示する（ステップＳ１９）。その後、設定変更システム１は、設定変更処理の実行を終了する。尚、設定変更システム１は、ジョブを生成するためのジョブ生成条件を、記憶媒体Ｍが記憶する複数のジョブ生成条件からユーザが選択した条件に変更する構成を採用できる。また、設定変更システム１は、記憶媒体Ｍの接続を第１電子機器１１０で検出したタイミングで、この設定変更処理を実行する構成を採用できる。
【００６２】
尚、本実施例において、設定変更システム１は、図４に示したステップＳ１５からＳ１７の様に、ジョブ生成条件を構成する出力装置識別情報で識別される電子機器のジョブ生成条件を変更する構成について説明した。しかし、これに限定される訳ではなく、先ず、設定変更システム１は、ジョブ生成条件を構成する接続済み出力装置識別情報で識別される画像出力装置（つまり、直近に接続した画像出力装置）と接続を確立しているか否かを判断する。次に、設定変更システム１は、接続していると判断した場合には直近に接続した画像出力装置のジョブ生成条件を変更する構成を採用できる。
【００６３】
また、設定変更システム１は、直近に接続した画像出力装置と接続していないと判断した場合には、接続済み出力装置識別情報で識別される電子機器との接続確立し、接続できた場合には接続した電子機器のジョブ生成条件を変更する構成を採用できる。更に、設定変更システム１は、接続済み出力装置識別情報で識別される電子機器と接続できない場合に、図４に示したステップＳ１５からＳ１７の処理を実行する構成を採用できる。
【００６４】
本実施例において、提供部１１１が第１電子機器の備える提供手段に相当し、媒体接続部１１２が接続手段に相当し、制御部１１９が制御手段に相当する。
また、提供部１９１が第２電子機器の備える提供手段に相当し、通信部１９４が通信手段に相当し、記憶部１９６が記憶手段に相当する。
【実施例２】
【００６５】
本実施例においては、切り離した電子機器の代理として、切り離した電子機器が従っていた設定を用いて機能を提供する電子機器を備えるシステムについて説明する。
【００６６】
先ず、図５を参照して、実施例２における設定変更システムについて説明する。図５（ａ）は、実施例２における設定変更システムの一例を表すシステム構成図である。
図５（ａ）に示す設定変更システム２は、機能提供システム２１から２３及び情報送信装置２９０を備える。機能提供システム２１から２３は、それぞれ第１電子機器２１１及び第２電子機器２１２、第１電子機器２２１及び第２電子機器２２２、並びに第１電子機器２３１及び第２電子機器２３２を備える。機能提供システム２１から２３は、それぞれが備える電子機器を連携して第３機能を提供する。尚、第１電子機器２１１から２３１及び第２電子機器２１２から２３２は、それぞれ実施例１で説明した第１電子機器１１０及び第２電子機器１９０とほぼ同様の構成を備えるため、以下主に、相違点について説明する。また、第１電子機器２１１から２３１及び第２電子機器２１２から２３２は、それぞれ同様の構成を有するので、以下主に、第１電子機器２１１及び第２電子機器２１２について説明する。
【００６７】
第１電子機器２１１及び第２電子機器２１２は、それぞれ不図示の提供部、媒体接続部、条件生成部、通信部、記憶部、操作・表示部、及び制御部を備える。第１電子機器２１１及び第２電子機器２１２がそれぞれ備える提供部から制御部は、実施例１で説明した第１電子機器１１０及び第２電子機器１９０がそれぞれ備える提供部１１１から制御部１１９及び提供部１９１から制御部１９９とほぼ同様であるので、以下主に、相違点について説明する。
【００６８】
第１電子機器２１１の備える記憶部は、第１記憶部と第２記憶部とを備える。第１記憶部は、自機（つまり、第１電子機器２１１）が実行するジョブを生成するためのジョブ生成条件を第１設定（つまり、自機の設定）として記憶する。第２記憶部は、自機と連携する連携機器（つまり、第２電子機器２１２）が実行するジョブを生成するためのジョブ生成条件を第２設定として記憶する。連携機器の設定をバックアップするためである。尚、第２電子機器２１２の備える記憶部も同様に、第１設定を記憶する第１記憶部と、第２設定を記憶する第２記憶部とを備える。
【００６９】
第１電子機器２１１の備える制御部は、記憶する第１設定を変更するよう自機の備える記憶部を制御する場合には、アックアップ設定を記憶する第２電子機器２１２へ変更した設定を送信するよう通信部を制御する。また、第１電子機器２１１は、送信した設定を第２電子機器２１２の備える第２記憶部へ保存するよう命じる命令を送信するよう通信部を制御しても良い。尚、第２電子機器２１２の備える制御部は、第１電子機器２１１の備える制御部と同様である。
【００７０】
情報送信装置２９０は、例えば、パーソナルコンピュータで構成される。情報送信装置２９０は、機能提供システム２１から２３に接続し、接続する機能提供システム２１から２３との間で各種の情報及び命令を通信する。具体的には、情報送信装置２９０は、機能提供システム２１から２３が備える電子機器へ、第１機能、第２機能、又は第３機能を提供するよう命じる命令、及び機能の提供に必要な情報を通信する。
【００７１】
次に、図６を参照して、電子機器を設定変更システム２から切り離した場合における設定変更システム２の動作ついて説明する。図６（ａ）は、第２電子機器２１２が設定変更システム２から切り離された場合において、設定変更システム２が行う動作の一例を説明するための図である。
先ず、設定変更システム２は、第１電子機器２１１で、連携してシステム２１を構成する第２電子機器２１２が設定変更システム２から切り離されたことを検出する。具体的には、第１電子機器２１１は、ＡＲＰ（Address Resolution Protocol ）リクエストに対して第２電子機器２１２が所定回数応じない場合に、第２電子機器２１２の切り離しを検出する。
【００７２】
次に、設定変更システム２は、第１電子機器２１１で、切り離された第１電子機器２１２（以下単に、切離機器という）を代理する電子機器として選択された第２電子機器２２２（以下単に、代理機器という）へ、切離機器２１２が従っていた設定を送信する。具体的には、切離機器２１２の連携機器２１１は、記憶する第２設定を代理機器２２２へ送信する。代理機器２２２は、送信された設定を受信すると、受信した設定を第２記憶部へ保存する。その後、設定変更システム２は、代理機器２２２で切離機器２１２を代理する。また、設定変更システム２は、切離機器２１２の連携機器２１１と、切離機器２１２を代理した代理機器２２２とで、機能提供システム２１を再構成する。
【００７３】
本実施例において、設定変更システム２は、切離機器２１２の連携機器２１１から、切離機器２１２の代理機器２２２へ、切り離し前に切離機器２１２が従っていた設定を送信するとして説明した。しかし、これに限定される訳ではなく、設定変更システム２は、実施例１で説明したように、切離機器２１２が従っていた設定を記憶媒体Ｍへ保存すると共に、記憶媒体Ｍに保存された設定を代理機器２２２の第２記憶部へ登録する登録処理を実行する構成を採用できる。
【００７４】
この構成において、切離機器２１２を代理するために、代理機器２２２を構成する制御部は、記憶媒体Ｍに記憶された第２設定を更に記憶するよう自機の第２記憶部を制御する。その後、代理機器２２２を構成する制御部は、自機の第２記憶部に記憶された第２設定に従って切離機器２１２の連携機器２１１と連携して第３機能を提供するよう自機の提供部を制御する。尚、代理せずに機能を提供するために、代理機器２２２を構成する制御部は、自機の第１記憶部が記憶する第１設定に従って、自機の連携機器２２１と連携して第３機能を提供するよう自機の提供部を制御する。
【００７５】
次に、図７を参照して、代理機器２２２が、切離機器２１２を代理するために実行する代理処理について説明する。図７（ａ）は、代理機器２２２が実行する代理処理の一例を表すフローチャートである。
先ず、代理機器２２２は、自機に対して第２機能又は第３機能を提供するよう命じる第１命令（又は求める要求）を受信したか否かを判断する（ステップＳ２１）。代理機器２２２は、自機に対する第１命令を受信したと判断する場合にはステップＳ２２の処理を実行し、そうで無い場合にはステップＳ２３の処理を実行する。
【００７６】
ステップＳ２１において、代理機器２２２は、自機に対する第１命令を受信したと判断した場合には、第１記憶部に記憶する自機の設定（つまり、第１設定）に基づいてジョブ生成条件を生成すると共に、生成した条件に従って機能を提供するためのジョブを実行する（ステップＳ２２）。その後、第２電子機器２２２は、代理処理の実行を終了する。
【００７７】
ステップＳ２１において、自機に対する第１命令を受信しなかったと判断した場合には、代理機器２２２は、他の電子機器を代理しているか否かを判断する（ステップＳ２３）。第２電子機器２１２は、代理していると判断する場合にはステップ２４の処理を実行し、そうで無い場合には代理処理の実行を終了する。
【００７８】
ステップＳ２１において、他の電子機器を代理していると判断した場合には、代理機器２２２は、代理する切離機器２１２に対して第２機能又は第３機能を提供するよう命じる第２命令（又は求める要求）を受信したか否かを判断する（ステップＳ２４）。代理機器２２２は、切離機器２１２に対する第２命令を受信したと判断する場合にはステップＳ２５の処理を実行し、そうで無い場合には代理処理の実行を実行する。
【００７９】
ステップＳ２４において、切離機器２１２に対する第２命令を受信したと判断した場合には、代理機器２２２は、記憶する第２記憶部に記憶する切離機器２１２が従っていた設定（つまり、第２設定）に基づいてジョブ生成条件を変更する（ステップＳ２５）。次に、第２電子機器２１２は、変更したジョブ生成条件に従って機能を提供するためのジョブを実行する（ステップ２６）。その後、ジョブ生成条件を、自機の設定（つまり、第１設定）に基づいて生成される条件へ戻す（ステップＳ２７）。その後、代理処理の実行を終了する。
【００８０】
次に、図６（ｂ）に戻り、第１電子機器２２１が設定変更システム２から切り離された場合において、設定変更システム２が行う動作の一例を説明する。
先ず、設定変更システム２は、切離機器２２１の連携機器２２２で、切離機器２２１が切り離されたことを検出する。次に、設定変更システム２は、連携機器２２２で、代理機器２１１へ、切離機器２２１が従っていた第２設定を送信する。その後、設定変更システム２は、代理機器２１１で切離機器２２１を代理する。また、設定変更システム２は、切離機器２２１と連携していた連携機器２２２と、切離機器２２１を代理した代理機器２１１とで、機能提供システム２２を再構成する。
【００８１】
次に、図７（ｂ）を参照して、代理機器２１１が、切離機器２２１を代理するために実行する代理処理について説明する。
先ず、代理機器２１１は、切離機器２２１の代理として機能を提供するか否かを判断する（ステップＳ３１）。具体例としては、切離機器２２１は、ユーザの操作を受けて操作・表示部から入力された命令に基づいて、他の電子機器の代理として機能を提供するか否かを判断する構成を採用できる。また、これに限定される訳ではなく、情報送信装置２９０から自機に対して機能の提供を命じる第１命令を受信した場合に、代理機器２１１は、代理せずに機能を提供すると判断する構成を採用できる。同様に、切離機器２２１に対して機能の提供を命じる第２命令を受信した場合に、代理機器２１１は、切離機器２２１を代理して機能を提供すると判断する構成を採用できる。
【００８２】
代理機器２１１は、代理して機能を提供すると判断した場合には、ステップＳ３３からＳ３５の処理を実行する。次に、代理機器２１１は、ステップＳ３３からＳ３５の処理を実行することで取得した画像情報を、切離機器２２１の代理で連携する第２電子機器２１２へ送信してから代理処理を終了する。
【００８３】
また、代理機器２１１は、代理して機能を提供しないと判断した場合には、ステップＳ３２の処理を実行する。次に、代理機器２１１は、ステップＳ３２の処理を実行することで取得した画像情報を本来の連携相手である第２電子機器２２２へ送信してから代理処理を終了する。尚、ステップＳ３２の処理は、図７（ａ）を参照して説明したステップＳ２２の処理と同様であり、ステップＳ３３からＳ３５の処理は、ステップＳ２５からＳ２７の処理と同様であるので説明を省略する。
【００８４】
ここで、例えば、ユーザの操作を受けて操作・表示部が入力した設定値へ、代理した切離機器２２１の設定に変更を加える場合には、代理機器２１１は、変更を加えた第２設定を第２記憶部へ記憶する。また、代理機器２１１は、切離機器２２１の代理で連携する第２電子機器２１２へ変更を加えた設定を送信する。その後、第２電子機器２１２は、第２記憶部に保存する切離機器２２１の設定を上書きせずに、受信した設定を更に保存する。変更が加えられる前の設定を保持し続けるためである。
【００８５】
次に、図８を参照して、切り離した電子機器を設定変更システム２へ再接続した場合における設定変更システム２の動作ついて説明する。図８は、切離機器２２１が設定変更システム２へ再接続された場合において、設定変更システム２が行う動作の一例を説明するための図である。
図８に示すように、切離機器２２１が接続すると、設定変更システム２は、切離機器２２１の代理機器２１１が記憶する変更された切離機器２２１の設定、又は代理機器２１１と連携した電子機器２２２が記憶する変更されていない切離機器２２１の設定を、再接続した切離機器２２１へ送信する。次に、設定変更システム２は、切離機器２２１で設定を受信すると共に、受信した設定に記憶する設定を書き換える。その後、設定変更システム２は、代理機器２１１における切離機器２２１の代理を終了する。
【００８６】
次に、図９を参照して、再接続した切離機器２２１の設定を復旧させる復旧処理について説明する。図９は、切離機器２２１が実行する復旧処理の一例を表すフローチャートである。尚、切離機器２２１は、再接続したタイミングで復旧処理を実行するとして説明する。
先ず、切離機器２２１は、バックアップ設定をコピーするか否かを判断する（ステップＳ４１）。具体的には、切離機器２２１は、ユーザの操作を受けて操作・表示部が入力した命令に従って判断する。第１電子機器２２１は、バックアップ設定をコピーすると判断する場合にはステップＳ４３の処理を実行し、そうで無い場合にはステップＳ４２の処理を実行する。
【００８７】
ステップＳ４１において、切離機器２２１は、バックアップ設定をコピーしないと判断した場合には、切離機器２２１の連携機器２２２へ現在の設定をバックアップする（ステップＳ４２）。その後、切離機器２２１は、復旧処理の実行を終了する。
【００８８】
ステップＳ４１において、切離機器２２１は、バックアップ設定をコピーすると判断した場合には、切離機器２２１の代理機器が存在するか否かを判断する（ステップＳ４３）。切離機器２２１は、代理機器が存在すると判断する場合にはステップＳ４５の処理を実行し、そうで無い場合にはステップＳ４４の処理を実行する。
【００８９】
ステップＳ４３において、切離機器２２１は、代理機器が存在しないと判断した場合には、切離機器２２１の連携機器２２２が記憶するバックアップ設定（つまり、第２設定）をコピーする（ステップＳ４４）。その後、切離機器２２１は、復旧処理の実行を終了する。
ステップＳ４３において、切離機器２２１は、代理機器が存在すると判断した場合には、代理機器２１１の記憶するバックアップ設定が変更されたか否かを判断する（ステップＳ４５）。具体例としては、第１電子機器２２１は、切り離された時刻よりも後の時刻を表すタイムスタンプをバックアップ設定が有する場合に、設定が変更されたと判断する。第１電子機器２２１は、設定が変更されたと判断する場合にはステップＳ４６の処理を、そうで無い場合にはステップＳ４７の処理を実行する。
【００９０】
ステップＳ４５において、設定が変更されたと判断した場合には、切離機器２２１は、変更された変更設定をコピーするか否かを判断する（ステップＳ４６）。切離機器２２１は、変更設定をコピーすると判断する場合にはステップＳ４８の処理を、そうで無い場合にはステップＳ４７の処理を実行する。
【００９１】
ステップＳ４５において、設定が変更されていないと判断した場合、又はステップＳ４６において、変更設定をコピーしないと判断した場合には、切離機器２２１は、連携機器２２２の記憶する変更されていないバックアップ設定をコピーする（ステップＳ４７）。
【００９２】
ステップＳ４６において、変更設定をコピーすると判断した場合には、切離機器２２１は、代理機器２１１の記憶する変更された設定をコピーする（ステップＳ４８）。次に、切離機器２２１は、ステップＳ４２と同じ処理を実行する（ステップＳ４９）。
【００９３】
ステップＳ４７又はＳ４９を実行した後に、切離機器２２１は、代理機器２１１へ復旧を通知する（ステップＳ５０）。その後、切離機器２２１は、復旧処理の実行を終了する。
【００９４】
第１電子機器１１０、１２０、２１１、２２１、及び２３１、並びに第２電子機器１９０、２１２、２２２、及び２３２（以下単に、第１電子機器１１０等という）がソフトウェア処理を実行することで実現する機能の一部又は全部は、ハードウェア回路を用いて実現することができる。逆に、第１電子機器１１０等がハードウェア回路を用いて実現する機能の一部又は全部は、ソフトウェア処理を実行することで実現することができる。
【００９５】
第１電子機器１１０等が実行する処理手順を記述したプログラムは、磁気ディスクや光ディスク、半導体メモリ、その他の記録媒体に格納して配布したり、ネットワークを介して配信したりすることにより提供できる。
【００９６】
以上本発明の好ましい実施例について詳述したが、本発明は係る特定の実施例に限定されるものではなく、特許請求の範囲に記載された本発明の要旨の範囲内において、種々の変形、変更が可能である。
【符号の説明】
【００９７】
１…設定変更システム                １０…通信網                        
１１０、１２０…第１電子機器（画像入力装置）
１１０ａ…ＣＰＵ                    １１０ｂ…ＲＯＭ                    
１１０ｃ…入出力装置                １１０ｄ…バス                      
１１１…提供部（提供手段）          １１１ａ…画像入力部                
１１１ｂ…画像生成部                １１２…媒体接続部（接続手段）      
１１３…条件生成部                  １１４…通信部（通信手段）          
１１６…記憶部（記憶手段）          １１７…操作・表示部                
１１９…制御部（制御手段）          １９０…第２電子機器（画像出力装置）
１９１…提供部（提供手段）          １９１ａ…解析部                    
１９１ｂ…画像形成部                １９２…媒体接続部（接続手段）      
１９４…通信部（通信手段）          １９６…記憶部（記憶手段）          
１９７…操作・表示部                １９９…制御部（制御手段）          
２…設定変更システム                ２１、２２、２３…機能提供システム  
２１１、２２１、２３１…第１電子機器（画像入力装置）
２１２、２２２、２３２…第２電子機器（画像出力装置）
２９０…情報送信装置                Ｍ…記憶媒体                        
【図１】
2010206733.tif 000003
【図２】
2010206733.tif 000004
【図３】
2010206733.tif 000005
【図４】
2010206733.tif 000006
【図５】
2010206733.tif 000007
【図６】
2010206733.tif 000008
【図７】
2010206733.tif 000009
【図８】
2010206733.tif 000010
【図９】
2010206733.tif 000011